【手続補正書】
【提出日】平成20年11月11日(2008.11.11)
【手続補正１】
【補正対象書類名】特許請求の範囲
【補正対象項目名】全文
【補正方法】変更
【補正の内容】
【特許請求の範囲】
【請求項１】
サンルーフパネルの後端を上方へ傾けた後に、ルーフの外面に沿わしてスライドさせることによって、前記サンルーフパネルを開ける形式の車両用サンルーフ装置において、
前記ルーフに対して前後スライド可能で且つ上下スイング可能であって、前記サンルーフパネルを支持するパネル支持ステーと、
前記ルーフに対して前後スライド可能であって、前記パネル支持ステーをスライド駆動するとともに、スイングガイド機構を介して前記パネル支持ステーの後端を上下スイングさせる駆動スライダと、
この駆動スライダをワイヤケーブルを介して前後にスライド駆動するモータとを有し、
前記スイングガイド機構は、前後に傾斜したリフトガイド溝と、このリフトガイド溝に対して相対的な移動が可能に嵌合するリフトピンとからなり、
前記リフトガイド溝は、前記駆動スライダと前記パネル支持ステーの一方に有しており、
前記リフトピンは、前記駆動スライダと前記パネル支持ステーの他方に有しており、
前記リフトガイド溝の長手方向の両端には、前記リフトピンが相対的に移動可能に嵌合する、前・後の空走溝が連なっており、
この前・後の空走溝は、前記リフトピンとの相対移動にかかわらず、前記パネル支持ステーの姿勢を維持させる方向へ延びている、
ことを特徴とした車両用サンルーフ装置。
【請求項２】
前記駆動スライダは、後方へ延びた引き込みアームを有しており、
この引き込みアームは、前記サンルーフパネルの後端を上方へ傾けるときには、前記パネル支持ステーの後端部を案内し、傾けられている状態の後端を元の高さまで戻すときには、前記パネル支持ステーの後端部を引き込み可能な、引き込み溝を有しており、
この引き込み溝の後端には、前記パネル支持ステーの後端部が移動可能に嵌合する、引き込み用空走溝が連なっており、
この引き込み用空走溝は、前記パネル支持ステーの後端部との相対移動にかかわらず、前記パネル支持ステーの姿勢を維持させる方向へ延びている、
ことを特徴とした請求項１記載の車両用サンルーフ装置。
【手続補正２】
【補正対象書類名】明細書
【補正対象項目名】００１１
【補正方法】変更
【補正の内容】
【００１１】
請求項１に係る発明では、サンルーフパネルの後端を上方へ傾けた後に、ルーフの外面に沿わしてスライドさせることによって、前記サンルーフパネルを開ける形式の車両用サンルーフ装置において、
前記ルーフに対して前後スライド可能で且つ上下スイング可能であって、前記サンルーフパネルを支持するパネル支持ステーと、前記ルーフに対して前後スライド可能であって、前記パネル支持ステーをスライド駆動するとともに、スイングガイド機構を介して前記パネル支持ステーの後端を上下スイングさせる駆動スライダと、この駆動スライダをワイヤケーブルを介して前後にスライド駆動するモータとを有し、前記スイングガイド機構は、前後に傾斜したリフトガイド溝と、このリフトガイド溝に対して相対的な移動が可能に嵌合するリフトピンとからなり、前記リフトガイド溝は、前記駆動スライダと前記パネル支持ステーの一方に有しており、前記リフトピンは、前記駆動スライダと前記パネル支持ステーの他方に有しており、前記リフトガイド溝の長手方向の両端には、前記リフトピンが相対的に移動可能に嵌合する、前・後の空走溝が連なっており、この前・後の空走溝は、前記リフトピンとの相対移動にかかわらず、前記パネル支持ステーの姿勢を維持させる方向へ延びていることを特徴とする。
請求項２に係る発明では、前記駆動スライダは、後方へ延びた引き込みアームを有しており、この引き込みアームは、前記サンルーフパネルの後端を上方へ傾けるときには、前記パネル支持ステーの後端部を案内し、傾けられている状態の後端を元の高さまで戻すときには、前記パネル支持ステーの後端部を引き込み可能な、引き込み溝を有しており、この引き込み溝の後端には、前記パネル支持ステーの後端部が移動可能に嵌合する、引き込み用空走溝が連なっており、この引き込み用空走溝は、前記パネル支持ステーの後端部との相対移動にかかわらず、前記パネル支持ステーの姿勢を維持させる方向へ延びていることを特徴とする。
【手続補正３】
【補正対象書類名】明細書
【補正対象項目名】００１３
【補正方法】変更
【補正の内容】
【００１３】
さらに、請求項１に係る発明では、リフトガイド溝の長手方向の後端に後の空走溝を連ねたものである。後の空走溝は、リフトピンとの相対移動にかかわらず、パネル支持ステーの姿勢を維持させる方向へ延びている。
【手続補正４】
【補正対象書類名】明細書
【補正対象項目名】００１４
【補正方法】変更
【補正の内容】
【００１４】
一般に、サンルーフパネルをチルトダウンさせるときには、ルーフ内外の圧力差によって、サンルーフパネルに上向きの負荷が作用する。この負荷に応じて、ワイヤケーブルに撓みが発生する。
これに対して、請求項１に係る発明によれば、モータが停止した後であっても、撓んでいたワイヤケーブルは、自己復元力によって元の直線状に戻ろうとする。この自己復元力によって、後部スライダは、徐々に前方へ移動して、サンルーフパネルをチルトダウンさせる。
【手続補正５】
【補正対象書類名】明細書
【補正対象項目名】００１５
【補正方法】変更
【補正の内容】
【００１５】
サンルーフパネルがチルトダウン完了位置に達する寸前になると、ルーフ内外の圧力差は減少する。このため、サンルーフパネルに作用する上向きの負荷は減少する。ワイヤケーブルは自己復元力によって、さらに直線状に戻ろうとする。
ワイヤケーブルの自己復元力によって、後部スライダが前方へ移動したときに、リフトピンを下方へ案内するだけではなく、さらに、リフトピンを後の空走溝に案内することができる。このため、駆動スライダは、前方へ空走して全閉時における原点の位置に確実に且つ正確に戻る。アウタスライド式サンルーフ装置において、風圧に伴う負荷の大きさにかかわらず、サンルーフパネルを正確な開閉位置にリセットすることができる。
【手続補正６】
【補正対象書類名】明細書
【補正対象項目名】００１６
【補正方法】変更
【補正の内容】
【００１６】
このように、カウント値による位置と実際の位置とに、位置ずれが発生していても、瞬時に位置ずれを吸収して、原点の位置にリセットすることができる。その後に、サンルーフパネルを開閉するときに、正確な位置を確保することができる。
このため、例えば、モータの回転に応じて発生したパルス数をカウントすることにより、サンルーフパネルの現在位置を検出する場合であっても、カウント値による位置と、実際の位置とに位置ずれが発生することを抑制することができる。この結果、サンルーフパネルの正確な位置を検出することができる。このため、サンルーフパネルを全閉位置と全開位置との間で、確実に開閉制御をすることができる。
請求項２に係る発明では、駆動スライダから後方へ延びた引き込みアームには、引き込み溝を有している。この引き込み溝の後端には、引き込み用空走溝が連なっている。この引き込み用空走溝は、パネル支持ステーの後端部との相対移動にかかわらず、パネル支持ステーの姿勢を維持させる方向へ延びている。このため、パネル支持ステーの後端部は、引き込み用空走溝の中を何の作業もすることなく、単に相対的に移動する（空走りする）だけであり、サンルーフパネルの変位に全く影響を及ぼさない。
上述のように、サンルーフパネルをチルトダウンさせるときに、モータが停止した後であっても、撓んでいたワイヤケーブルは、自己復元力によって元の直線状に戻ろうとする。このワイヤケーブルの自己復元力によって、後部スライダ及び引き込みアームは前方へ移動する。このときに、引き込みアームは、パネル支持ステーの後端部を、引き込み溝から引き込み用空走溝へ案内する。パネル支持ステーの後端部は、引き込み用空走溝の中を前方へ空走して、全閉時における原点の位置に確実に且つ正確に戻る。このため、アウタスライド式サンルーフ装置において、風圧に伴う負荷の大きさにかかわらず、サンルーフパネルを正確な開閉位置にリセットすることができる。